(57)【要約】      （修正有）【課題】寝ている姿勢のまま、自分の足で足枕をはずしたり、使用したり、且つ足枕の位置を自由に、容易に変える事が繰り返しできるとともに、足枕の位置によって足枕の外径寸法を容易に可変する事ができ、足枕と一つの一体寝具で、腰枕、尻座布団が併用できる安価な多機能寝具の製造方法を提供する。【解決手段】長さを人の腰幅又は肩幅ほどの寸法にした支柱３（軽量硬質円筒管）の円外周全面にクッション材４（例えば発泡ウレタン等のスポンジ類他）を巻き付け、それを敷物５（例えば毛布等）の片側端で覆い包み、その端末と交わった所を縫い付け、又は接着固定した支柱入り軽量円筒足枕６を形成し、その敷物５全体の長さを人の身長に近いものにし、敷物５の両端を使い円筒足枕６、腰枕、尻座布団を併用使い分ける。【選択図】図２
2005211648.tif 000002
【特許請求の範囲】
【請求項１】
長さを人の腰幅又は肩幅ほどの寸法にした支柱３（ここでの支柱は軽量硬質円筒管で材質は、たとえば硬質プラスチック管、又は硬質繊維質類合成管、硬質アルミ管等）の円外周全面にクッション材４（たとえば発泡ウレタン等のスポンジ類及び綿等）を巻き付け、それを敷物５（たとえば毛布又は、厚手の敷パット等）の片側端で覆い包み、その端末と交わった所Ｂ、を縫いつけ又は、接着固定した支柱入り軽量円筒足枕６を形成し、その円筒足枕６の両側面Ｃ１，Ｃ２は支柱３の長さよりも広くした敷物５の部分を耳として折り曲げた後、縫い付け又は接着固定するか、別の単生地をあてがい固定して仕上げ、その敷物全体の長さＤを、人の身長ほどにした多機能寝具の製造方法。
【請求項２】
円筒足枕６を形成した敷物５のもう一方の片側端Ｅ近傍に人の腰くぼみＦにおおよそ合せた大きさのクッション材４を設置し敷物５で覆い包み、その端末と交わった所Ｇを縫い付け又は、接着固定した腰枕７を設けた事を特徴とした請求項１記載の多機能寝具の製造方法。
【発明の詳細な説明】
【技術分野】
【０００１】  この発明は、人が寝ている姿勢のまま、自分で足枕を好みの位置に自由に設置したり、位置を変えることを繰り返し使用ができ、その外形寸法を変える事ができ且つ、足枕、腰枕、及び尻座布団を自分の思いに組み合わせ、併用する事が出来る一つの一体多機能寝具の製造方法に関するものである。
【背景技術】
【０００２】  人はどんな楽な姿勢でも、同じ状態を長く続けるとしんどくなるものである。
例えば、足枕、尻座布団、及び腰枕の併用状態を容易に変える事が出来るもの且つ、足枕を寝ている姿勢のまま、自分で容易に位置を変えたり、繰り返し使用が出来、その外形寸法を変える事ができるのが理想的である。
しかし、従来の公開実用新案公報  平２−１３０６５３、実用新案公報  平４−３４７５０特開２００２−１３６４０９、等は足の下に置く足枕であり、いづれも移動又は回転可能であるが、これらの足枕は単体状態であり、位置を変える時及び不要な時にはずしたり、蹴ったりして届かなくなると、再使用する時は他人に要望の位置にやってもらうか、本人が起きて自分で変える必要が有った。さらに、上布団を被った状態では特に寝ている姿勢のまま、自分で位置移動の操作が容易に出来ないものである。【０００３】  又、特開２００３−２７５０８２ではシートの一端に足枕を構成しているが、その製造方法は、３枚の布を使い一体構造にし且つ、その足枕にクッション材又は枕や座布団等のものを入れているだけで、足枕に支柱がない為、寝ている姿勢のままで、自分の足で足枕の位置を自由に変えたり、不要な時にはずし又、使用したりする事が繰り返し容易に出来ない。そして、寝ている姿勢のままで、足枕の外径寸法を大きくしたり、小さくしたり容易に出来ない、さらに一つの一体寝具で足枕以外に腰枕、尻座布団等をその時の体調で好みに合わせた複合利用ができないものである。又、公開実用新案公報  昭６２−２００９６０に於いては、敷布団と一体的構成した、かまぼこ形の足枕に硬度のある発泡スチロールの如き素材を入れているが、その形状、製造方法及び効果が全く違う物であり、いままでにこれらの事を達成できる安価なものがなく製造方法もなかった。
【発明の開示】
【発明が解決しようとする課題】
【０００４】  解決しようとする問題点は、寝ている姿勢のまま、自分の足で足枕をはずしたり、使用したり、且つ、足枕の位置を自由に容易に変える事が繰り返し出来ない、さらに、足枕の位置によって、足枕の外径寸法を簡単に可変する事が出来ない。【０００５】  さらに、足枕と一体寝具で腰枕、尻座布団が併用できる安価な物がない。
【課題を解決するための手段】
【０００６】  本発明は、上記の課題を解決する為に、長さを人の腰幅又は肩幅ほどの寸法にした支柱（軽量硬質円筒管）の円外周全面にクッション材を巻き付け、それを人の身長ほど長くした敷物の片側端で覆い包み、その端末と交わった所を縫いつけ又は、接着固定した支柱入り軽量円筒足枕を形成し寝ている姿勢のまま、図６の如く、自分の足先で円筒足枕を手前に回転（矢印方向）させ円筒足枕の位置を図７（アキレス腱の下）、図８（脹脛の下）、図９（足立て位置）、図１０（膝の下）等、自由な位置に容易に変化させる事が出来る支柱入り軽量円筒足枕付き多機能寝具１の製造方法。【０００７】  前記の円筒足枕を足先から手前に回転するごとに厚ての敷物が円筒足枕の外周に巻かれ、円筒足枕の外径寸法がアキレス腱の下、脹脛の下、膝の下の順に大きくなり使用上、非常に楽な状態になる支柱入り軽量円筒足枕。【０００８】  もし、円筒足枕を不要とする時は、寝ているままの状態で円筒足枕を足先で回転させて、元の位置にもどす。この場合、円筒足枕は敷物と一体になっている為、再使用したい場合でも図５の如く、円筒足枕が足の届かない所に移動しない事を特徴とする支柱入り軽量円筒足枕。【０００９】  さらに、敷物を人の身長ほどの長い物にする事により、円筒足枕のある反対側端を丸くまるめ込み腰のくぼみに敷く事により図１１の如く、腰枕ができる事を特徴とする多機能寝具１の製造方法。又前記反対側端を約１０ｃｍ〜３０ｃｍ幅ぐらいに２〜４重ね折にして尻の下に敷く事により、図１２の如く、尻座布団ができる事を特徴とする多機能寝具１の製造方法。【００１０】  敷物の円筒足枕のある反対側端にクッション材を設置し敷物で覆い包み、腰枕を形成する事により、図１３の如く、足枕、腰枕、尻座布団の３箇所同時に併用することができる多機能寝具２の製造方法。
【発明の効果】
【００１１】  本発明は一つの一体寝具で寝ている姿勢のまま、自分の足で支柱入り軽量円筒足枕の位置を容易に、自由に変える事ができ、且つ、その外径寸法を足位置に適した大きさに簡単に変える事ができ、さらに、その足枕を不要とする時と、再使用する時も同じく寝ている姿勢のまま、自分の足で容易に繰り返す事ができる。
又、敷物の円筒足枕のある反対側端を丸くまるめ込んで腰枕に使用したり、２〜４重ね折にして、尻の下に敷く事により尻座布団として使用できる効果がある。【００１２】  敷物の円筒足枕のある反対側端に腰のくぼみに、ほぼ合せたクッション材を設置する事により、図１３の如く、足枕、尻座布団、腰枕の３箇所同時に併用できる。【００１３】  以上、本発明は一つの一体寝具として、足枕を寝ている姿勢のまま、自分自身で容易に移動及び外形寸法の可変ができ、さらに、円筒足枕、尻座布団、腰枕の３箇所を使い分け及び併用できる多機能寝具でありながら、その使用材料は円筒足枕カバーと敷物が１枚一体物で最小点数で且つ、構造及びその製造方法が非常に簡単で、安価にできる効果がある。特に前記３箇所同時に併用する場合は尻座布団の折り曲げ状態（曲げ幅、及び折り返し重ね数）を変える事により人の身長差を吸収し、問題なく使用できる。
【発明を実施するための最良の形態】
【００１４】  本発明は支柱（軽量硬質円筒管）、クッション材、縫い合せ糸、又は接着剤から成る円筒足枕材とその円筒足枕材を覆い包む敷物１枚の最小部材で構成した支柱入り軽量円筒足枕の製造方法と敷物を人の身長ほどの長い物にした製造方法によって実現できたさらに、敷物で支柱入り円筒足枕のある反対側端に、腰くぼみに合ったクッション材を設置する事により円筒足枕、尻座布団、腰枕の３箇所を同時併用可能にでき、尻座布団の折り曲げ状態（曲げ幅、及び折り返し重ね数）を変える事により、人の身長差を吸収し問題なく使用できる多機能寝具の製造方法。
【実施例】
【００１５】  以下、この発明の多機能寝具について、実施例に基づいて具体的に説明する。
図１は本発明の多機能寝具１としての基本図である。図２は図１のＡ１−Ａ２部の断面図である。次に図３は単体円筒足枕６ａと単体敷物５ａとを個別に作成したものである。さらに、図４は図１の多機能寝具１に腰枕専用機能を追加した多機能寝具２である。又、図５〜図１３は多機能寝具１，２の使用方法を示した物である。【００１６】  本実施例は図１，２の如く、長さを人の腰幅又は肩幅ほどの寸法にした支柱３（ここでの支柱とは軽量硬質円筒管で、材質は、例えば、硬質プラスチック管又は硬質繊維質類合成管、硬質アルミ管等）の円外周全面にクッション材４（例えば発泡ウレタン等のスポンジ類、綿等）を巻き付け、それを敷物５（例えば毛布、厚手の敷パット等）の片側端で覆い包み、その端末と交わった所Ｂを縫いつけ、又は接着固定した支柱入り軽量円筒足枕６を形成し、その円筒足枕６の両側面Ｃ１，Ｃ２は支柱３の長さよりも広くした敷物５の部分を耳として、折り曲げた後縫い付け又は、接着固定するか、別の単生地をあてがい固定して仕上げ、その敷物５全体の長さＤを人の身長ほどの長い物にした多機能寝具１の製造方法。【００１７】  他の実施例として、支柱３の円外周全面にクッション材４を巻き付け、ほぼその一回り分の長さの敷物５で外周を覆い包み、その両端末を縫い付け、又は接着固定した単体円筒足枕６ａを図３の如く完成し、その両端末の固定した部分と人の身長ほどの長い単体敷物５ａの片側端とを固定してできた図１と同類の多機能寝具１の製造方法も可能。【００１８】  次に支柱入り軽量円筒足枕６を形成した敷物５のもう一方の片側端Ｅ近傍に人の腰くぼみＦに、おおよそ合わせた大きさのクッション材４を設置し、敷物５で覆い包み、その端末の交わった所Ｇを縫いつけ、又は、接着固定した腰枕７を設けた事を特徴とした図４の多機能寝具２の製造方法。【００１９】  次に、多機能寝具１及び２の内容と使用方法を具体的に実施例で説明する。
図５は多機能寝具１を敷いた状態で利用する前の初期状態である。
図６は初期状態から人が寝ている姿勢のまま、自分の足先で円筒足枕６の操作を開始する状態であり、その後の具体的な使用方法は足先で円筒足枕６を手前（矢印方向）に回転させて円筒足枕６の位置を図７（アキレス腱の下の位置）、図８（脹脛の下の位置）、図９（足を立てやすい位置）、図１０（膝の下の位置）のように順次変えていく事ができる。
この場合、円筒足枕６の外径寸法は図５（初期状態）の位置よりも図６、図７、図８、図９、図１０へと円筒足枕６を手前に回転（矢印方向）する毎に厚ての敷物５が巻かれて行く為大きくなる。実験的にも図７（アキレス腱の下の位置）よりも図１０（膝の下の位置）の方が円筒足枕６の外径寸法が大きくなり足がより心地よく楽である。
次に円筒足枕６が不要になった場合、同じく足先で円筒足枕６を逆回転させて図１０図９、図８、図７、図６及び図５（初期状態）の位置に簡単に戻す事ができる。
且つ、何回も繰り返し操作ができる。この場合、試作品の実験では上布団がない状態は勿論、上布団を被っている状態でも容易に円筒足枕６を回転する事ができる。
この様に円筒足枕６の回転を容易に、且つ、可能にした最大の理由は円筒足枕６のクッション材４の内側に支柱３（軽量硬質円筒管）を入れて、体に敷いている敷物５で覆い包み円筒状に形成した一体寝具で、足先にて容易に回転移動ができる軽さとその構造及び製造方法によるものである。又、支柱３を軽量硬質円筒管にしたもう一つの理由は、もし、足で踏みつけても変形、割れが発生しない為であり、いつまでも、支柱入り軽量円筒足枕の回転を容易にしたものである。【００２０】  図１１の実施例は、多機能寝具１の敷物５に於いて円筒足枕６を形成している反対側端Ｅを丸くまるめ込み腰のくぼみＦに敷き、腰枕８とし、且つ、円筒足枕６と併用している状態である。【００２１】  図１２の実施例は、多機能寝具１の敷物５に於いて円筒足枕６を形成している反対側端Ｅを約１０ｃｍ〜３０ｃｍ幅ぐらいで２〜４重ね折りにして、尻の下に敷き尻座布団９とし、且つ、円筒足枕６と併用している状態である。【００２２】  図１３の実施例は、多機能寝具２に於いて敷物５の片側で円筒足枕６を使用し、反対側端の腰枕７と尻座布団９の合計３箇所の組み合わせで併用している状態である。【００２３】  以上の様に、当発明は使用者の体調及び気分で円筒足枕６の使用有無、位置、及び外径寸法を寝ている姿勢のまま、自分の足で変えることができ、さらに、腰枕７又は８と尻座布団９とを自由に設置、取り外し及び組み合わせ使用ができる一つの一体多機能寝具１，２の製造方法である。
【産業上の利用可能性】
【００２４】  本発明は多機能寝具として、足枕、腰枕、尻座布団の３機能を自由に且つ、簡単に組み合わせ利用でき、しかも、材料、構造からも非常に安価なものである為、ちょっとした昼寝でも、夜の布団を被った睡眠でも容易に使う事ができる。
又、健康な人は勿論、病気で長く寝込んでいる人達には、他人にお願いしなくとも寝たままの姿勢で自分の足で容易に繰り返し支柱入り軽量円筒足枕を操作できるので特に喜ばれ産業上、大いに利用される。
【図面の簡単な説明】
【００２５】
【図１】多機能寝具の斜視図（基本図）である。
【図２】図１のＡ１−Ａ２部断面図である。
【図３】単体円筒足枕と単体敷物とを個別に作成した斜視図である。
【図４】図１に請求項２の機能を追加した斜視図である。
【図５】多機能寝具の使用前初期状態の側面図である。
2005211648.tif 000003
【符号の説明】
【００２６】１．多機能寝具１
２．多機能寝具２
３．支柱（軽量硬質円筒管）
４．クッション材
５．敷物
５ａ．単体敷物
６．円筒足枕
６ａ．単体円筒足枕
７．腰枕７
８．腰枕８
９．尻座布団
Ａ１−Ａ２．多機能寝具１の断面部
Ｂ．敷物で円筒足枕を覆い包み固定した所
Ｃ１、Ｃ２．円筒足枕の両側面
Ｄ．円筒足枕部分を除いた敷物の長さ
Ｅ．敷物の円筒足枕がある反対側端
Ｆ．腰くぼみ
Ｇ．敷物で腰枕を覆い包み固定した所
【図１】
2005211648.tif 000004
【図２】
2005211648.tif 000005
【図３】
2005211648.tif 000006
【図４】
2005211648.tif 000007
【図５】
2005211648.tif 000008
【図６】
2005211648.tif 000009
【図７】
2005211648.tif 000010
【図８】
2005211648.tif 000011
【図９】
2005211648.tif 000012
【図１０】
2005211648.tif 000013
【図１１】
2005211648.tif 000014
【図１２】
2005211648.tif 000015
【図１３】
2005211648.tif 000016
【手続補正書】
【提出日】平成16年6月29日(2004.6.29)
【手続補正１】
【補正対象書類名】明細書
【補正対象項目名】００２５
【補正方法】変更
【補正の内容】
【００２５】
【図１】  多機能寝具１の斜視図（基本図）である。
【図２】  図１のＡ１−Ａ２部断面図である。
【図３】  単体円筒足枕と単体敷物とを個別に作成した斜視図である。
【図４】  図１に請求項２の機能を追加した多機能寝具２の斜視図である。
【図５】  多機能寝具１の使用前初期状態の側面図である。
【図６】  多機能寝具１において、初期状態から自分の足先で円筒足枕６の操作を開始する状態の側面図である。
【図７】  多機能寝具１の使用に於いて、自分の足で円筒足枕６の位置をアキレス腱の下の位置に設定した状態の側面図である。
【図８】  多機能寝具１の使用に於いて、自分の足で円筒足枕６の位置を脹脛の下の位置に設定した状態の側面図である。
【図９】  多機能寝具１の使用に於いて、自分の足で円筒足枕６の位置を足が立てやすい位置に設定した状態の側面図である。
【図１０】  多機能寝具１の使用に於いて、自分の足で円筒足枕６の位置を膝の下の位置に設定した状態の側面図である。
【図１１】  多機能寝具１の使用において、敷物５を丸くまるめて、腰枕８とし且つ円筒足枕６を膝の下の位置で併用している状態の側面図である。
【図１２】  多機能寝具１の使用に於いて、敷物５を重ね折して、尻座布団９とし且つ、円筒足枕６を膝の下の位置で併用している状態の側面図である
【図１３】  多機能寝具２の使用に於いて、敷物５の片側端の円筒足枕６を膝の下の位置に、そして敷物５を重ね折して尻座布団９とし且つ反対側端の腰枕７とを組み合わせ併用している状態の側面図である。